(57)【要約】【課題】付属部品が外れにくく、かつ、部品点数および組立工数を少なくする。【解決手段】第１筐体部材（２）および第２筐体部材（３）を備える筐体に、付属部品（４，５）が一体化された電子機器（１）の付属部品一体型筐体であって、第１筐体部材（２）および第２筐体部材（３）は、筐体接続部（１１，２１，３１）によって互いに接続されており、付属部品（４，５）は、第１筐体部材（２）と第２筐体部材（３）とに挟まれて固定され、筐体接続部（１１，２１，３１）は、付属部品（４，５）を貫通している。【選択図】図１
2015088705.tif 000002
【特許請求の範囲】
【請求項１】
第１筐体部材および第２筐体部材を備える電子機器の筐体に、電子機器の付属部品が一体化された電子機器の付属部品一体型筐体であって、
第１筐体部材および第２筐体部材は、筐体固定部によって互いに結合し、
上記付属部品は、上記第１筐体部材と上記第２筐体部材とに挟まれて固定され、
上記筐体固定部は、上記付属部品を貫通していることを特徴とする付属部品一体型筐体。
【請求項２】
上記付属部品は、上記電子機器の操作面を保護する保護カバーであり、
上記電子機器の上記操作面の反対に位置する背面側から上記操作面側に向かう方向をＺ軸方向とすると、
上記保護カバーは、回動可能な軟性部を備え、
上記軟性部は、上記筐体の側壁の上記Ｚ軸方向の略中央で固定されていることを特徴とする請求項１に記載の付属部品一体型筐体。
【請求項３】
上記筐体固定部を覆う固定部隠しカバーをさらに備えることを特徴とする請求項１または２に記載の付属部品一体型筐体。
【請求項４】
上記固定部隠しカバーは、第１カバー固定部によって位置決めされ、
上記第１カバー固定部は、上記付属部品を貫通していることを特徴とする請求項３に記載の付属部品一体型筐体。
【請求項５】
上記固定部隠しカバーは、第２カバー固定部によって上記第２筐体部材に取り付けられており、
上記第２カバー固定部は、上記第２筐体部材および上記付属部品によって形成される凹状の第２収容部と、上記固定部隠しカバーに設けられた上記第２収容部に挿入される挿入部からなり、
上記挿入部は、主部および該主部から延伸する凸状の爪部からなり、
上記主部の挿入面の断面積は、上記第２収容部の収容口の断面積より小さく、かつ、上記第２収容部の収容口の断面積と略同一であり、
上記爪部は、上記爪部の延伸方向側であって、上記付属部品側の稜角が面取りされており、
上記付属部品は、上記第２筐体部材より柔らかい材質であることを特徴とする請求項３または４に記載の付属部品一体型筐体。
【発明の詳細な説明】
【技術分野】
【０００１】
本発明は、電子機器の筐体、特に、付属部品と一体化された付属部品一体型筐体およびそれを備えた電子機器に関するものである。
【背景技術】
【０００２】
近年、スマートフォン、タブレットＰＣ、電子辞書、電子ノート等の携帯端末が高機能化されており、特に、タッチパネルを搭載した携帯端末が広く普及している。
【０００３】
このような携帯端末には、携帯端末本体（またはタッチパネル）を保護する、またはタッチパネルの誤動作を防止するために、携帯端末（またはタッチパネル）を覆うカバーが使用されることがある。例えば、特許文献１には、落下時の携帯端末の破損を防ぐカバーであって、携帯端末に着脱可能に装着されるカバーが記載されている。
【０００４】
また、カバーが装着された携帯端末の操作性および携帯性を向上させるために、カバーと一体化された携帯端末の筐体が開発されている。例えば、特許文献２には、伸縮するカバー部の一端が携帯情報機器にネジで固定されており、カバー部の他端に取り付けられたバンドでカバー部の開閉を行うことが記載されている。
【先行技術文献】
【特許文献】
【０００５】
【特許文献１】特開２０１０−１６７９９号公報（２０１０年１月２１日公開）
【特許文献２】特開２００３−１７８０３５号公報（２００３年６月２７日公開）
【発明の概要】
【発明が解決しようとする課題】
【０００６】
しかしながら、従来のカバー等の付属部品が一体化された付属部品一体型筐体は、付属部品が筐体から外れやすいという問題がある。また、従来の付属部品一体型筐体は、付属部品を筐体に取り付けるための部品があるため、部品点数および組立工数が多くなるという問題もある。
【０００７】
本発明は、上記の問題点に鑑みてなされたものであり、その目的は、付属部品が外れにくく、かつ、部品点数および組立工数が少ない付属部品一体型筐体およびそれを備えた電子機器を実現することにある。
【課題を解決するための手段】
【０００８】
上記の課題を解決するために、本発明の一態様に係る付属部品一体型筐体は、第１筐体部材および第２筐体部材を備える電子機器の筐体に、電子機器の付属部品が一体化された電子機器の付属部品一体型筐体であって、第１筐体部材および第２筐体部材は、筐体固定部によって互いに結合し、上記付属部品は、上記第１筐体部材と上記第２筐体部材とに挟まれて固定され、上記筐体固定部は、上記付属部品を貫通している。
【発明の効果】
【０００９】
本発明の一態様によれば、付属部品を外れにくくすると共に、付属部品一体型筐体の部品点数および組立工数を少なくすることができるという効果を奏する。
【図面の簡単な説明】
【００１０】
【図１】本発明の実施形態を示すものであり、電子ノートの分解組立図である。
【図２】カバーを開いた状態の電子ノートの正面側からの外観図である。
【図３】カバーを閉じた状態の電子ノートの側面側からの外観図である。
【図４】カバーを背面側に折り曲げた状態の電子ノートの側面側からの外観図である。
【図５】第１ビス隠しカバーのＺ軸の負方向側からの外観図である。
【図６】第１ビス隠しカバーのＺ軸の正方向側からの外観図である。
【図７】第１ビス隠しカバーのＸ軸の正方向側からの外観図である。
【図８】第１ビス隠しカバーの挿入部と、第２筐体部材およびカバーによって形成される収容部とのＹＺ断面（挿入面および収容口）の大きさの関係を示す図である。
【図９】挿入時に両端が折り曲げられた第１ビス隠しカバーのＺ軸の負方向側からの外観図である。
【図１０】挿入時に傾けた第１ビス隠しカバーの挿入部と、第２筐体部材およびカバーによって形成される収容部とのＹＺ断面（挿入面および収容口）の大きさの関係を示す図である。
【発明を実施するための形態】
【００１１】
本発明の一実施形態について図１から図１０に基づいて説明すると以下の通りである。なお、各図面に記載した構成の形状、並びに、長さ、大きさおよび幅などの寸法は、実際の形状や寸法を反映させたものではなく、図面の明瞭化と簡略化のために適宜変更している。
【００１２】
本実施形態では、一例として、電子ノートの筐体について説明する。電子ノートとは、タッチパネルを搭載し、スタイラス等を用いて入力された手書き文字等を保存するものである。すなわち、電子ノートとは、電子的なノートの機能を有するものである。ただし、本発明の適用対象は、電子ノートに限るものではなく、スマートフォン、携帯電話機、タブレットＰＣ、電子辞書、携帯音楽プレイヤー、携帯ゲーム機等の任意の電子機器に適用可能である。
【００１３】
〔電子ノートの構成〕
図１は、電子ノート１の分解組立図である。図２は、カバー４を開いた状態の電子ノート１の正面側からの外観を示す図である。電子ノート１は、第１筐体部材２、第２筐体部材３、カバー（保護カバー）４、ペンホルダー５、第１ビス隠しカバー６、第２ビス隠しカバー７、表示部（タッチパネル）８および基板９を備える。
【００１４】
図１および図２に示すように、第２筐体部材３から、表示部８が外部に露出するように配置された第１筐体部材２に向かう方向をＺ軸の正方向とする。換言すると、表示部８は操作面であるため、電子ノート１の操作面と反対に位置する背面側から操作面側に向かう方向をＺ軸の正方向とする。また、表示部８の表面（操作面）をＺ軸と直交するＸＹ平面とする。
【００１５】
第１筐体部材２および第２筐体部材３は、電子ノート１の表示部８、基板９等を保護するものである。第１筐体部材２および第２筐体部材３は、互いに嵌合し、その内部に配置された表示部８、基板９等を密閉する。第１筐体部材２および第２筐体部材３の構成材料は、合成樹脂等である。以下では、互いに嵌め合わせた第１筐体部材２および第２筐体部材３を筐体と称する。筐体は箱型であり、筐体の側壁部分で第１筐体部材２および第２筐体部材３が結合する。
【００１６】
第１筐体部材２は、第１筐体部材２と第２筐体部材３とを固定するビス１１を収容するボス２１と、第１ビス隠しカバー６および第２ビス隠しカバー７を固定するためのフック２２とを備える。ボス２１は、Ｚ軸の負方向に延伸する中空の円筒形状であり、第１筐体部材２の本体と同じ構成材料（合成樹脂等）で成形される。フック２２は、Ｚ軸の負方向に延伸する板形状の部材であり、先端がＬ字型に折り曲げられている。フック２２の構成材料は金属である。
【００１７】
第２筐体部材３は、第１筐体部材２と第２筐体部材３とを固定するビス１１を通し、ビス１１の頭部の捻じ込み位置を規定する開口部３１と、後述する第１ビス隠しカバー６および第２ビス隠しカバー７の挿入部６４、７４を収容する収容部（第２収容部）３４とを備える。
【００１８】
［第１の実施の形態］
カバー４は、電子ノート１および電子ノート１のタッチパネルを保護するものである。カバー４は、第１筐体部材２および第２筐体部材３より柔らかい材質で構成されており、例えば、ＰＵ（ポリウレタン）等である。
【００１９】
カバー４は、本体部４３および接続部（軟性部）４４からなる。本体部４３は、板状の形状であり、筐体を覆う大きさである。接続部４４は、板状の形状であり、カバー４と筐体（第１筐体部材２および第２筐体部材３）とを接続するためのものである。接続部４４は、第１開口部４１、第２開口部４２および凹部４５を有する。第１開口部４１は、円形の孔であり、ボス２１が挿入されるものである。すなわち、第１開口部４１の内径は、ボス２１の外径とほぼ同じである。第２開口部４２は、線状の切れ目であり、フック２２が挿入されるものである。すなわち、第２開口部４２の切れ目の大きさは、フック２２のＹ軸方向の長さと略同じである。凹部４５は、接続部４４のＹ軸方向に沿って溝状に形成されたものである。図２に示すように、本実施形態では、接続部４４のＺ軸の正方向側の表面上に、２つの凹部４５が形成されている。
【００２０】
［第２の実施の形態］
ペンホルダー５は、電子ノート１に文字等を入力するためのスタイラス等を保持するものである。ペンホルダー５は、カバー４と同様に、第１筐体部材２および第２筐体部材３より柔らかい材質で構成されており、例えば、ＰＵ（ポリウレタン）等である。ペンホルダー５がＰＵ等の柔らかい材質で構成されているため、スタイラス等をペンホルダー５に容易に挿入することができる。また、ペンホルダー５が適度な柔らかさを有するため、スタイラス等のクリップ部にペンホルダー５を容易に挟み込むことができる。
【００２１】
ペンホルダー５は、ペン保持部５３および接続部５４からなる。ペン保持部５３は、筒形状であり、スタイラス等を保持するものである。接続部５４は、板状の形状であり、ペンホルダー５と筐体（第１筐体部材２および第２筐体部材３）とを接続するためのものである。接続部５４は、第１開口部５１および第２開口部５２を有する。第１開口部５１および第２開口部５２は、カバー４の接続部４４の第１開口部４１および第２開口部４２と、それぞれ同じ機能を有する。なお、図１では、ペンホルダー５の第１開口部５１を通り、第１筐体部材２と第２筐体部材３とを固定するビス１１を省略しており、図示していない。
【００２２】
図１に示すように、カバー４およびペンホルダー５は、第１筐体部材２および第２筐体部材３に挟まれて固定されている。また、カバー４およびペンホルダー５は、第１開口部４１および第１開口部５１がそれぞれ、第１筐体部材２のボス２１に挿入されて、第１筐体部材２と固定されている。また、カバー４およびペンホルダー５は、第１筐体部材２および第２筐体部材３を固定するビス１１によって、筐体（第１筐体部材２および第２筐体部材３）に固定されている。つまり、カバー４およびペンホルダー５は、それら単体を筐体に固定するための追加部品を用いることなく、筐体に固定されている。なお、カバー４およびペンホルダー５は、第２開口部４２および第２開口部５２がそれぞれ、第１筐体部材２のフック２２に挿入されて、第１ビス隠しカバー６および第２ビス隠しカバー７を固定するためのフック２２によっても固定されている。
【００２３】
なお、図１では図示していないが、ビス１１以外に、第１筐体部材２と第２筐体部材３とは、四隅においてビス等で固定されている。
【００２４】
ここで、カバー４およびペンホルダー５は筐体に一体化された付属部品とも言える。筐体（第１筐体部材２および第２筐体部材３）に少なくとも１つの付属部品が一体化されたものを付属部品一体型筐体と称する。なお、本実施形態では、付属部品はカバー４およびペンホルダー５であるが、これに限るものではない。電子ノート１等の電子機器に付属させる任意の部品を筐体に一体化してもよい。
【００２５】
第１ビス隠しカバー６および第２ビス隠しカバー７は、第１筐体部材２および第２筐体部材３並びにカバー４およびペンホルダー５を固定するビス１１を外部に露出しないように隠すものである。第１ビス隠しカバー６および第２ビス隠しカバー７は、電子ノート１の外観（デザイン）の自由度を向上させるために、および、電子ノート１の分解防止するために付属部品一体型筐体に取り付けられる。第１ビス隠しカバー６および第２ビス隠しカバー７の構成材料は、第１筐体部材２および第２筐体部材３と同じであり、合成樹脂等である。
【００２６】
以下では、第１ビス隠しカバー６および第２ビス隠しカバー７を、ビス隠しカバー（固定部隠しカバー）と総称する。付属部品一体型筐体は、さらに、１または複数のビス隠しカバーを備えていてもよい。ビス隠しカバーの構成について、詳細は後述する。
【００２７】
なお、第１筐体部材２および第２筐体部材３とカバー４およびペンホルダー５とを固定する手段は、ボス２１、開口部３１およびビス１１に限るものではない。例えば、第１筐体部材２に凸部（または凹部）を設け、第２筐体部材に該凸部と係合する凹部（または該凹部と係合する凸部）を設けてもよい。
【００２８】
換言すると、ボス２１、開口部３１およびビス１１は、第１筐体部材２および第２筐体部材３を互いに結合する筐体固定部と言える。また、筐体固定部が付属部品を貫通することにより、付属部品が筐体に固定される。この場合、筐体固定部の形状（外径）に基づいて、第１開口部４１、５１の大きさ（内径）を設計すればよい。また、ボス２１、開口部３１およびビス１１、すなわち筐体固定部の数は１つの付属部品に対して１以上あればよい。
【００２９】
次に、図３および図４に基づいて、カバー４を閉じた状態と、カバー４を電子ノート１の背面側に折り曲げた状態について説明する。図３は、カバー４を閉じた状態の電子ノート１の側面側からの外観図であり、図４は、カバー４を背面側に折り曲げた状態の電子ノート１の側面側からの外観図である。
【００３０】
図３に示すように、カバー４を閉じた状態、すなわち、カバー４を電子ノート１の操作面側に折り曲げた状態では、第１筐体部材２（表示部８）にカバー４の本体部４３が接している。本実施形態では、カバー４の接続部４４に凹部４５が形成されているため、凹部４５が形成されている方向（Ｙ軸方向）に対して垂直な方向に折り曲げることが容易である。すなわち、カバー４を電子ノート１の操作面側に折り曲げることが容易である。また、凹部４５により、カバー４を操作面側に折り曲げたときに、接続部４４に余計なたわみが生じることが無く、接続部４４が第１筐体部材２の側壁に接している。これにより、カバー４を操作面側に折り曲げたときに、第１筐体部材２（表示部８）にカバー４の本体部４３が接している状態を安定して維持することができる。
【００３１】
図２に示すように、本実施形態では、接続部４４に２つの凹部４５が形成されているが、これに限るものではなく、少なくとも１つの凹部４５が形成されていればよい。また、本実施形態では、Ｚ軸の正方向側の接続部４４の表面上に凹部４５が形成されているが、反対側であるＺ軸の負方向側の接続部４４の表面上に凹部４５が形成されていてもよい。また、接続部４４の両面に凹部４５が形成されていてもよい。
【００３２】
また、カバー４は、電子ノート１の背面側に折り曲げた時にも、本体部４３が第２筐体部材３と接する。本実施形態では、カバー４は、第１筐体部材２と第２筐体部材３とに挟まれているため、筐体の側壁のＺ軸方向の略中央部と接続している。これにより、カバー４を操作面側に折り曲げた時に本体部４３が第１筐体部材２（表示部８）に接するように、接続部４４のＸ軸方向の長さを調整しても、本体部４３が第２筐体部材３と接するように、カバー４を電子ノート１の背面側に折り曲げることができる。
【００３３】
一般的に、電子ノート１では、ユーザが電子ノート１を机等の平面上に置いて、スタイラスで入力することが想定される。そのため、電子ノート１等の平面上に置いて使用される電子機器では、手に持って使用されるスマートフォン、携帯電話機等と異なり、使用時に、平面上に安定して静止できることが重要である。本実施形態では、図４に示すように、カバー４を背面側に折り曲げた状態では、第２筐体部材３とカバー４の本体部４３が接しており、筐体とカバー４の本体部４３が平行になる。そのため、カバー４を背面側に折り曲げた状態の電子ノート１を机等の平面上に安定して置くことができ、ユーザがスタイラス等で入力する際に、電子ノート１が揺れ動くことを防ぐことができる。
【００３４】
すなわち、軟性部である接続部４４が筐体の側壁の厚み方向の略中央部に固定されているため、カバー４を側壁の略中央部を軸として回動させることができる。また、凹部４５は、筐体の側壁の長手方向に延伸する溝であると言える。
【００３５】
なお、本実施形態では、第２筐体部材３のＺ軸の負方向の稜角が面取りされているため、カバー４を電子ノート１の背面側に折り曲げたときの接続部４４のたわみを収容する空間がある。そのため、カバー４を電子ノート１の背面側に折り曲げたときに、接続部４４に余計なたわみが生じたとしても、カバー４を第２筐体部材３に密接させることができる。
【００３６】
また、図３および図４に示すように、ペンホルダー５も、カバー４と同様に、第１筐体部材２と第２筐体部材３とに挟まれているため、筐体の側壁のＺ軸方向（厚み方向）の略中央部と接続している。ペンホルダー５が筐体の厚み方向の略中央部で固定されているため、ペンホルダー５のＺ軸方向の大きさ（膨らみ）を筐体の厚み（Ｚ軸方向の長さ）の範囲内に収めることができる。ペンホルダー５が筐体の厚みの範囲外に飛び出していないため、ペンホルダー５が邪魔にならず電子ノート１の持ち運びが容易であり、また、本やパソコン等の他のものと電子ノート１とを安定して積み重ねることができる。
【００３７】
［第３の実施の形態］
〔ビス隠しカバーの構成〕
次に、ビス隠しカバーの構成について、図５〜図７に基づいて説明する。第１ビス隠しカバー６と第２ビス隠しカバー７とは、大きさや部材の個数等が異なるだけであり、同じ機能を有するものである。ここでは、第１ビス隠しカバー６を例示して説明する。図５は、第１ビス隠しカバー６のＺ軸の負方向側からの外観図であり、図６は、第１ビス隠しカバー６のＺ軸の正方向側からの外観図であり、図７は、第１ビス隠しカバー６のＸ軸の正方向側からの外観図である。
【００３８】
図５〜図７に示すように、第１ビス隠しカバー６は、１つの本体部６３および４つの挿入部６４からなる。本体部６３は、Ｙ軸方向に延伸する細長い略板状の形状である。本体部６３には、フック２２と係合する４つの収容部（第１収容部）６２が設けられている。収容部６２は、凹形状であり、フック２２のＬ字型に折り曲げられた先端部を収容する。４つの挿入部６４は、本体部６３に沿ってＹ軸方向に並べて配列されており、各挿入部６４は、主部６５および爪部６６からなる。主部６５は、櫛形の形状である。爪部６６は、主部６５の挿入方向（Ｘ軸の正方向）に対して直交する方向であって、カバー４の表面と平行な方向（Ｙ軸方向）に主部６５から延伸する凸形状のものである。また、爪部６６は、主部６５のＹ軸方向の両端部のどちらか近い方に向かって延伸している。換言すると、４つの挿入部６４のうち、第１ビス隠しカバー６の中央よりＹ軸の正方向側に配置された挿入部６４の爪部６６は、主部６５からＹ軸の正方向側に延伸し、第１ビス隠しカバー６の中央よりＹ軸の負方向側に配置された挿入部６４の爪部６６は、主部６５からＹ軸の負方向側に延伸する。さらに、爪部６６は、図７に示すように、主部６５から延伸する延伸方向の稜角であって、カバー４側（Ｚ軸の正方向側）の稜角が面取りされている。
【００３９】
挿入部６４が上記爪部６６を有することにより、第１ビス隠しカバー６を付属部品一体型筐体から自然に外れることを防止することができると共に、第１ビス隠しカバー６の収容部３４への挿入性が向上する。この理由について図８〜図１０に基づいて以下に説明する。
【００４０】
図８は、挿入部６４と収容部３４とのＹＺ断面（挿入面および収容口）の大きさの関係を示す図である。ここで、収容部３４は、第２筐体部材３とカバー４とによって形成されるものである。また、挿入部６４の主部６５の挿入面の断面積は、収容部３４の収容口の断面積と略同一である。ただし、挿入部６４の主部６５の挿入面の断面積は、収容部３４の収容口の断面積より小さい。
【００４１】
主部６５の挿入面の断面積と、収容部３４の収容口の断面積とが略同一であるため、図８に示すように、挿入部６４（主部６５＋爪部６６）のＹ軸方向の長さが収容部３４のＹ軸方向の長さより大きくなる。それゆえ、挿入部６４をＸ軸の正方向に真っ直ぐ挿入しても、挿入部６４を収容部３４に容易に挿入することができない。
【００４２】
そこで、図９に示すように、第１ビス隠しカバー６のＹ軸方向の両端を、Ｘ軸の正方向およびＺ軸の負方向に曲げて、挿入部６４を収容部３４に挿入する。この場合、図１０に示すように、挿入部６４がＸＹ平面に対して傾くことにより、挿入部６４のＹ軸方向の長さが収容部３４の収容口の対角線内に収まる。また、カバー４は、第２筐体部材３および第１ビス隠しカバー６より柔らかい材質であるため、挿入部６４がカバー４を押して空間を作ることができる。よって、第１ビス隠しカバー６のＹ軸方向の両端を曲げることにより、挿入部６４を収容部３４に挿入することができる。
【００４３】
挿入部６４が収容部３４に挿入されると、爪部６６があるため、第１ビス隠しカバー６が付属品一体型筐体から外れることを防ぐことができる。
【００４４】
ここで、挿入時とは逆に、第１ビス隠しカバー６が取り付けられた付属品一体型筐体から、第１ビス隠しカバー６の中央部をＸ軸の負方向に引っ張ることにより、容易に取り外すことができる。通常の使用態様において、付属品一体型筐体に取り付けられた第１ビス隠しカバー６に対して、その端部に力が加わることがあるが、中央部に力が掛かることはまれである。そのため、通常の使用態様において、付属品一体型筐体に取り付けられた第１ビス隠しカバー６が自然に外れることを防止することができる。
【００４５】
なお、本実施形態では、主部６５を櫛形の形状とすることにより、主部６５（挿入部６４）の可撓性を向上させている。ただし、主部６５の形状はこれに限るものではなく、主部６５の挿入面の断面積が収容部３４の断面積と略同一であり、かつ挿入面の断面積が収容部３４の断面積より小さいものであれば、主部６５はどのような形状でもよい。
【００４６】
また、本実施形態では、第１ビス隠しカバー６が４つの挿入部６４を有し、第２ビス隠しカバー７が２つの挿入部７４を有しているが、挿入部６４、７４の数は、１以上であればよい。
【００４７】
また、フック２２および収容部６２は、ビス隠しカバーを位置決めするための第１カバー固定部であると言える。ビス隠しカバーを第１筐体部材２に固定する第１カバー固定部は、フック２２および収容部６２に限るものではなく任意のものでよい。この場合、第１カバー固定部の形状に基づいて、第２開口部４１，５１の大きさを設計すればよい。また、フック２２および収容部６２、すなわち第１カバー固定部は１つのビス隠しカバーに対して１以上あればよい。
【００４８】
また、挿入部６４および収容部３４は、ビス隠しカバーを第２筐体部材３に取り付けるための第２カバー固定部であると言える。挿入部６４および収容部３４、すなわち第２カバー固定部は１つのビス隠しカバーに対して１以上あればよい。
【００４９】
〔まとめ〕
本発明の態様１に係る付属部品一体型筐体は、第１筐体部材（２）および第２筐体部材（３）を備える電子機器（電子ノート１）の筐体に、電子機器の付属部品（カバー４、ペンホルダー５）が一体化された電子機器の付属部品一体型筐体であって、第１筐体部材および第２筐体部材は、筐体固定部（ビス１１、ボス２１）によって互いに結合し、上記付属部品は、上記第１筐体部材と上記第２筐体部材とに挟まれて固定され、上記筐体固定部は、上記付属部品を貫通していることを特徴としている。
【００５０】
上記の構成によれば、上記付属部品は、上記第１筐体部材および上記第２筐体部材によって挟まれて固定されていると共に、上記付属部品を貫通する上記筐体固定部によって固定されている。また、この上記筐体固定部は、上記第１筐体部材と上記第２筐体部材とを結合するためのものであって、上記付属部品を上記筐体に固定する役割を兼ねたものである。
【００５１】
よって、上記付属部品を外れにくくすると共に、付属部品一体型筐体の部品点数および組立工数を少なくすることができるという効果を奏する。
【００５２】
本発明の態様２に係る付属部品一体型筐体は、上記態様１において、上記付属部品は、上記電子機器の操作面を保護する保護カバーであり、上記電子機器の上記操作面の反対に位置する背面側から上記操作面側に向かう方向をＺ軸方向とすると、上記保護カバーは、回動可能な軟性部を備え、上記軟性部は、上記筐体の側壁の上記Ｚ軸方向の略中央で固定されていてもよい。
【００５３】
上記の構成によれば、上記保護カバーの回動可能な軟性部が上記筐体の側壁の上記Ｚ軸方向の略中央（言い換えると、筐体の厚みの略中央）で固定されている。これにより、上記保護カバーは、上記側壁の略中央を軸として回動する。そのため、保護カバーを操作面側に折り曲げた時に保護カバーが電子機器の操作面および側壁に接するように保護カバーの大きさを調整しても、保護カバーが電子機器の背面側に接するように、保護カバーを電子機器の背面側に折り曲げることができる。
【００５４】
さらに、保護カバーが電子機器の背面側に接するため、電子機器と保護カバーを平行にすることができる。そのため、保護カバーを背面側に折り曲げた状態の電子機器を机等の平面上に安定して置くことができ、ユーザがスタイラス等で入力する際に、電子機器が揺れ動くことを防ぐことができる。
【００５５】
本発明の態様３に係る付属部品一体型筐体は、上記態様２において、上記軟性部は、上記筐体の側壁の長手方向に延伸する凹状の溝を有していてもよい。
【００５６】
上記の構成によれば、上記軟性部に上記筐体の側壁の長手方向に延伸する溝が形成されているため、保護カバーを溝が形成されている側に容易に折り曲げることができる。よって、保護カバーが電子機器に接している状態を安定して維持することができる。
【００５７】
本発明の態様４に係る付属部品一体型筐体は、上記態様１〜３の何れかにおいて、上記筐体固定部を覆う固定部隠しカバー（ビス隠しカバー６，７）をさらに備えてもよい。
【００５８】
上記の構成によれば、上記固定部隠しカバーにより上記筐体固定部が覆われるため、上記筐体の分解を防止することができると共に、上記筐体の外観の設計の自由度を向上させることができる。
【００５９】
本発明の態様５に係る付属部品一体型筐体は、上記態様４において、上記固定部隠しカバーは、第１カバー固定部（フック２２）によって位置決めされ、上記第１カバー固定部は、上記付属部品を貫通していてもよい。
【００６０】
上記の構成によれば、上記付属部品は、さらに、上記第１カバー固定部によって固定される。よって、上記付属部品が上記筐体からより外れにくくなる。さらに、上記第１カバー固定部は、上記固定部隠しカバーを位置決めするためのものであって、上記付属部品を固定する役割を兼ねたものである。よって、部品点数および組立工数を増加させることが無い。
【００６１】
本発明の態様６に係る付属部品一体型筐体は、上記態様５において、上記第１カバー固定部は、上記第１筐体部材に配置された金属製のフック（２２）、および、上記固定部隠しカバーに設けられた上記フックを収容する第１収容部（収容部６２）からなるものであってもよい。
【００６２】
上記の構成によれば、金属製のフックにより、上記固定部隠しカバーおよび上記付属部品をより確実に固定することができる。
【００６３】
本発明の態様７に係る付属部品一体型筐体は、上記態様４〜６の何れかにおいて、上記固定部隠しカバーは、第２カバー固定部（挿入部６４および収容部３４）によって上記第２筐体部材に取り付けられており、上記第２カバー固定部は、上記第２筐体部材および上記付属部品によって形成される凹状の第２収容部（収容部３４）と、上記固定部隠しカバーに設けられた上記第２収容部に挿入される挿入部（６４）からなり、上記挿入部は、主部（６５）および該主部から延伸する凸状の爪部（６６）からなり、上記主部の挿入面の断面積は、上記第２収容部の収容口の断面積より小さく、かつ、上記第２収容部の収容口の断面積と略同一であり、上記爪部は、上記爪部の延伸方向側であって、上記付属部品側の稜角が面取りされており、上記付属部品は、上記第２筐体部材より柔らかい材質であってもよい。
【００６４】
上記の構成によれば、上記挿入部は、上記第２収容部の収容口の断面積と略同一の挿入面の断面積を有する主部と、主部から延伸する爪部とからなる。そのため、爪部が延伸する方向における上記挿入部の長さは、上記第２収容部の同方向の長さより大きくなる。そのため、そのため、上記挿入部を真っ直ぐ挿入しても上記第２収容部に挿入することができない。
【００６５】
しかしながら、上記爪部は面取りされているため、上記挿入部を傾けることにより、上記挿入部の長さが、上記第２収容部の対角線内に収めることができる。また、上記付属部品は、上記第２筐体部材より柔らかい材質であるため、上記挿入部は上記付属部品を押して挿入するための空間を作ることができる。よって、上記挿入部を傾けることにより、容易に上記第２収容部に挿入することができる。
【００６６】
さらに、上述のように、上記第２収容部に収容されている上記挿入部を真っ直ぐ引き抜いても、上記爪部がストッパーとなるため、引き抜くことができない。したがって、上記固定部隠しカバーの上記付属部品一体型筐体への挿入性を向上させると共に、上記固定部隠しカバーが上記付属部品一体型筐体から外れにくくすることができる。
【００６７】
本発明の態様８に係る付属部品一体型筐体は、上記態様７において、上記固定部隠しカバーは上記挿入部を複数有し、上記複数の挿入部は、所定の方向に沿って配列されており、上記爪部は、上記固定部隠しカバーにおける上記挿入部の配列方向の両端部の何れか近い方に向けて上記主部から延伸していてもよい。
【００６８】
上記の構成によれば、上記固定部隠しカバーの両端部に向かって、上記爪部が延伸しているため、上記固定部隠しカバーの両端部に力が掛かったとしても、上記付属部品一体型筐体から上記固定部隠しカバーがより外れにくくなっている。
【００６９】
本発明の態様９に係る電子機器は、上記態様１〜８の何れかの付属部品一体型筐体を備えている。
【００７０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００７１】
本発明は、電子ノート等の電子機器の筐体であって、電子機器の付属部品が一体化された筐体に利用することができる。
【符号の説明】
【００７２】
１    電子ノート（電子機器）
２    第１筐体部材
３    第２筐体部材
４    カバー（保護カバー、付属部品）
５    ペンホルダー（付属部品）
６    第１ビス隠しカバー（固定部隠しカバー）
７    第２ビス隠しカバー（固定部隠しカバー）
１１    ビス（筐体固定部）
２１    ボス（筐体固定部）
２２    フック（第１カバー固定部）
３１    開口部（筐体固定部）
３４    収容部（第２収容部、第２カバー固定部）
６２    収容部（第１収容部、第１カバー固定部）
６４    挿入部（第２カバー固定部）
６５    主部
６６    爪部
【図１】
2015088705.tif 000003
【図２】
2015088705.tif 000004
【図３】
2015088705.tif 000005
【図４】
2015088705.tif 000006
【図５】
2015088705.tif 000007
【図６】
2015088705.tif 000008
【図７】
2015088705.tif 000009
【図８】
2015088705.tif 000010
【図９】
2015088705.tif 000011
【図１０】
2015088705.tif 000012